(57)【要約】【課題】取り付け易さを向上させた光源装置及びこの光源装置を用いた投影装置を提供すること。【解決手段】光源装置は、封止部材６３と、当接面６２が形成され、係合部（第三フランジ部６４，第四フランジ部６５）を有し、部品を保持する保持部材６０と、封止部材６３を介して当接面６２と当接する被当接面７２が形成され、上記係合部と係合する被係合部（第一フランジ部７４，第二フランジ部７５）を有し、保持部材６０を保持する光源ケース５０と、を備える。保持部材６０の当接面６２及び光源ケース５０の被当接面７２は、互いに対向し、部品を保持する保持面に対して傾斜しており、光源ケース５０の被当接面７２が挿入される側を向くように傾斜している。【選択図】  図７
2018105898.tif 000002
【特許請求の範囲】
【請求項１】
封止部材と、
当接面が形成され、係合部を有し、部品を保持する保持部材と、
前記封止部材を介して前記当接面と当接する被当接面が形成され、前記係合部と係合する被係合部を有し、前記保持部材を保持するケースと、
を備え、
前記保持部材の前記当接面及び前記ケースの前記被当接面は、互いに対向し、前記部品を保持する保持面に対して傾斜しており、前記ケースの前記被当接面は、前記保持部材が挿入される側を向くように傾斜している、
ことを特徴とする光源装置。
【請求項２】
前記封止部材は、前記当接面及び／又は前記被当接面に配置されており、
前記部品は、前記保持面に対して略垂直な第一方向に光軸方向を有する光学部品であり、
前記係合部及び前記被係合部は、前記保持部材が前記ケースの前記被当接面に向かって行く第二方向に係脱可能に形成され、
前記当接面及び前記被当接面は、前記第二方向に対して鋭角をなすように傾斜している、
ことを特徴とする請求項１に記載の光源装置。
【請求項３】
前記当接面及び前記被当接面は、前記係合部を前記被係合部に前記第二方向から係合させる際に、前記封止部材の侵入側の端部が、前記ケースの前記被当接面の被侵入側の端部に接触しない角度で傾斜していることを特徴とする請求項２に記載の光源装置。
【請求項４】
前記保持部材は、前記第一方向の一端側から、前記ケースに当接する第一枠部を有し、
前記ケースは、前記第一方向の他端側から、前記保持部材に当接する第二枠部を有する、
ことを特徴とする請求項２又は請求項３に記載の光源装置。
【請求項５】
前記当接面、前記被当接面及び前記封止部材は、前記部品を保持する部品保持部の周囲に、環状に形成されることを特徴とする請求項１乃至請求項４の何れかに記載の光源装置。
【請求項６】
前記当接面に前記被当接面と頂面が平行なリブ部を有することを特徴とする請求項１乃至請求項５の何れかに記載の光源装置。
【請求項７】
前記封止部材は可撓性を有し、
前記封止部材の非圧縮時の厚みは、前記当接面と前記被当接面との距離よりも厚く、
前記当接面と前記被当接面との前記距離は、前記リブ部の高さよりも長い、
ことを特徴とする請求項６に記載の光源装置。
【請求項８】
前記被係合部は、柱状の位置決突起を含み、
前記係合部は、前記位置決突起が挿通される孔部である、
ことを特徴とする請求項１乃至請求項７の何れかに記載の光源装置。
【請求項９】
前記保持部材は、発光素子を保持することを特徴とする請求項１乃至請求項８の何れかに記載の光源装置。
【請求項１０】
前記被係合部は、第一フランジ部及び第二フランジ部を含み、
前記係合部は、前記第一フランジ部と当接する第三フランジ部及び前記第二フランジ部と当接する第四フランジ部を含み、
前記第一フランジ部と前記第三フランジ部との境界面、及び前記第二フランジ部と前記第四フランジ部との境界面は、前記発光素子が出射する光の光軸の高さ位置に配置されることを特徴とする請求項９に記載の光源装置。
【請求項１１】
請求項１乃至請求項１０の何れか記載の光源装置と、
前記光源装置からの光源光が照射され、画像光を形成する表示素子と、
前記表示素子から出射された前記画像光をスクリーンに投影する投影側光学系と、
前記表示素子と前記光源装置を制御する制御部と、
を有することを特徴とする投影装置。
【発明の詳細な説明】
【技術分野】
【０００１】
本発明は、光源装置及びこの光源装置を備える投影装置に関する。
【背景技術】
【０００２】
今日、パーソナルコンピュータの画面やビデオ画面、さらにメモリカード等に記憶されている画像データによる画像等をスクリーンに投影する投影装置として、データプロジェクタが多用されている。このプロジェクタは、光源から出射された光をＤＭＤ（デジタル・マイクロミラー・デバイス）と呼ばれるマイクロミラー表示素子、又は液晶板に集光させ、スクリーン上にカラー画像を表示させる。
【０００３】
特許文献１に開示される投影装置は、赤色発光ダイオードからなる赤色光源装置や、青色光源装置ともされる複数の青色レーザダイオードからなる励起光照射装置等の光源装置を備えている。励起光照射装置からの励起光は蛍光ホイールに照射されて、緑色の蛍光光が蛍光ホイールから出射される。そして、赤色、緑色、青色の各色光源光は表示素子に照射されて、その表示素子が画像光を、投影側光学系を介して出射することによりスクリーン上にカラー画像が投影される。
【先行技術文献】
【特許文献】
【０００４】
【特許文献１】特開２０１３−１９６９４６号公報
【発明の概要】
【発明が解決しようとする課題】
【０００５】
投影装置は、光学部品として使用されるレンズ、ミラー、光源等に粉塵が侵入して付着等することにより、画素の欠損や色ムラ等の画質の低下を起こすことがある。そのため、投影装置では、各光学部品への粉塵の侵入を防ぐことが重要である。投影装置に内装される光源装置は、レーザダイオード、ＬＥＤ、表示素子等の複数の光学部品やユニットが組まれた構造であるため、各部品やユニットの接合箇所を封止することが重要となる。
【０００６】
しかしながら、従来の封止方法では、光学部品やユニットをケース部材に実装した後に、接合面を接着材料で密閉したり接合箇所をテープで覆って機密性を確保するため、組み立て工数が多くなり、封止構造の信頼性を高めることが難しい。また、クッションを用いた密閉方法もあるが、接合面毎に細かいクッションを多数配置させる必要がある。ユニットの実装個所が複数あるために、ユニットとケース部材の配置方向と異なる方向（例えば封止面に対して水平方向）からユニットを固定させる場合があり、部材間に挟持されるクッションは反発力のため取り付けがしにくくなる。
【０００７】
本発明は、以上の点に鑑み、取り付け易さを向上させた光源装置及びこの光源装置を用いた投影装置を提供することを目的とする。
【課題を解決するための手段】
【０００８】
本発明の光源装置は、封止部材と、当接面が形成され、係合部を有し、部品を保持する保持部材と、前記封止部材を介して前記当接面と当接する被当接面が形成され、前記係合部と係合する被係合部を有し、前記保持部材を保持するケースと、を備え、前記保持部材の前記当接面及び前記ケースの前記被当接面は、互いに対向し、前記部品を保持する保持面に対して傾斜しており、前記ケースの前記被当接面は、前記保持部材が挿入される側を向くように傾斜している、ことを特徴とする。
【０００９】
また、本発明の投影装置は、上述の光源装置と、前記光源装置からの光源光が照射され、画像光を形成する表示素子と、前記表示素子から出射された前記画像光をスクリーンに投影する投影側光学系と、前記表示素子と前記光源装置を制御する制御部と、を有することを特徴とする。
【発明の効果】
【００１０】
本発明によれば、取り付け易さを向上させた光源装置及びこの光源装置を用いた投影装置を提供することができる。
【図面の簡単な説明】
【００１１】
【図１】本発明の実施形態に係る投影装置を示す外観斜視図である。
【図２】本発明の実施形態に係る投影装置の機能ブロックを示す図である。
【図３】本発明の実施形態に係る投影装置の内部構造を示す平面模式図である。
【図４】本発明の実施形態に係る光源ケースを保持部材の取り付け面側から見た斜視図である。
【図５】本発明の実施形態に係る保持部材を取り付け面側から見た斜視図である。
【図６】本発明の実施形態に係る保持部材を光源ケースに取り付けた様子を示す図であり、（ａ）は平面図であり、（ｂ）は側面図である。
【図７】本発明の実施形態に係る保持部材を光源ケースに取付けた様子を示す、図３のＶＩＩ−ＶＩＩ断面の保持部材周辺を拡大した一部拡大断面図である。
【発明を実施するための形態】
【００１２】
以下、本発明を実施するための形態について述べる。図１は、本実施形態に係る投影装置１００の外観斜視図である。投影装置１００本体の説明において、左右とは投影方向に対しての左右方向を示し、前後とは投影方向の前後方向を示すものであり、図１における斜め右下方向を前方とする。
【００１３】
投影装置１００は、図１に示す様に略直方体形状をしている。投影装置１００は、上ケース１１０と下ケース１４０による筐体本体と、この筐体本体に脱着可能な左側板１１７を覆うコネクタカバー１５０とにより形成される。コネクタカバー１５０は、左側板１１７の外周縁を覆うように凹状に形成される。下ケース１４０の底板１４１の各種機器や回路基板は、上ケース１１０により覆われる。投影装置１００は、上ケース１１０の前側板１１３に正面吸気孔１６１を、右側板１１９に排気孔１８１を有している。また、投影装置１００は、背面板１１５に、背面側吸気孔とスピーカの放音用の孔部を有する。
【００１４】
上ケース１１０の上面板１１１の後方にはキー／インジケータ部２２３が設けられる。このキー／インジケータ部２２３には、電源スイッチキー、投影のオン又はオフを切り替える投影スイッチキーや、電源のオン又はオフを報知するパワーインジケータ、光源ユニットや表示素子又は制御回路などが過熱したときに報知をする加熱インジケータ等のキーやインジケータが配置されている。
【００１５】
この上ケース１１０の上面板１１１には、本体の右側から左側のコネクタカバー１５０に亘る左右方向に延びる略Ｖ形状の切込み溝１２１が形成される。切込み溝１２１には、投影口１２５が形成される。投影口１２５は、斜め前方に画像光を出射可能としている。
【００１６】
左側板１１７には、図示しないが、アナログＲＧＢ映像信号が入力される映像信号入力用のＤ−ＳＵＢ端子、Ｓ端子、ＲＣＡ端子、音声出力端子、及び、電源アダプタやプラグ等の各種端子（群）が設けられる。なお、左側板１１７にも、吸気孔が設けられている。
【００１７】
つぎに、投影装置１００の投影装置制御部等について、図２の機能ブロック図を用いて述べる。投影装置制御部は、制御部２３１、入出力インターフェース２１２、画像変換部２１３、表示エンコーダ２１４、表示駆動部２１６等から構成される。
【００１８】
この投影装置制御部により、入出力コネクタ部２１１から入力された各種規格の画像信号は、入出力インターフェース２１２、システムバス（ＳＢ）を介して画像変換部２１３で表示に適した所定のフォーマットの画像信号に統一するように変換された後、表示エンコーダ２１４に出力される。
【００１９】
制御部２３１は、投影装置１００内の各回路の動作制御を司るものであって、演算装置としてのＣＰＵや各種セッティング等の動作プログラムを固定的に記憶したＲＯＭ及びワークメモリとして使用されるＲＡＭ等により構成されている。
【００２０】
また、表示エンコーダ２１４は、入力された画像信号をビデオＲＡＭ２１５に展開記憶させた上で、このビデオＲＡＭ２１５の記憶内容からビデオ信号を生成して表示駆動部２１６に出力する。
【００２１】
表示駆動部２１６は、表示素子制御手段として機能するものであり、表示エンコーダ２１４から出力された画像信号に対応して適宜のフレームレートで空間的光変調素子（ＳＯＭ）である表示素子４１１を駆動させる。投影装置１００は、光源装置２５０を備える。
【００２２】
制御部２３１は、光源制御手段として光源制御回路２３２を制御している。この光源制御回路２３２は、画像生成時に要求される所定波長帯域の光源光が光源装置２５０から出射されるように、光源装置２５０の励起光照射装置３１０及び赤色光源装置３５０の発光を個別に制御すると共に、ホイール制御部２３４により緑色光源装置３３０における蛍光板３３１（図３参照）の回転を制御する。
【００２３】
投影装置１００は、光源装置２５０から出射される光線束を、表示素子４１１に照射することにより、表示素子４１１の反射光で光像を形成し、投影光学系を介してスクリーン等に映像を投影表示する。
【００２４】
投影光学系は、可動レンズ群４１６を有する。可動レンズ群４１６は、レンズモータ２３９によりズーム調整やフォーカス調整のための駆動が行われる。
【００２５】
画像圧縮／伸長部２２１は、再生時にメモリカード２２２に記録された画像データを読み出し、一連の動画を構成する個々の画像データを１フレーム単位で伸長し、この画像データを、画像変換部２１３を介して表示エンコーダ２１４に出力し、メモリカード２２２に記憶された画像データに基づいて動画等の表示を可能とする処理を行う。
【００２６】
また、上ケース１１０に設けられたキー／インジケータ部２２３からの操作信号は、直後に制御部２３１に送出される。また、リモートコントローラからのキー操作信号はＩｒ受信部２２５で受信され、Ｉｒ処理部２２６で復調されたコード信号は制御部２３１に出力される。
【００２７】
制御部２３１には、システムバス（ＳＢ）を介して音声処理部２３５が接続されている。この音声処理部２３５は、ＰＣＭ音源等の音源回路を備えており、投影モード及び再生モード時には音声データをアナログ化し、スピーカ２３６を駆動して拡散放音させる。
【００２８】
さらに、制御部２３１は、冷却ファン駆動制御回路２３３に光源装置２５０等に設けた複数の温度センサによる温度検出を行わせ、この温度検出の結果から冷却ファンの回転速度を制御させる。また、制御部２３１は、冷却ファン駆動制御回路２３３にタイマー等によって投影装置１００本体の電源オフ後も冷却ファンの回転を持続させる、あるいは、温度センサによる温度検出の結果によって投影装置１００本体の電源をオフにする等の制御を行う。
【００２９】
つぎに、投影装置１００の内部構造について述べる。図３は、投影装置１００の内部構造を示す平面模式図である。投影装置１００は、背面板１１５の近傍に主制御回路基板４４１や電源制御回路基板４４３を備える。
【００３０】
光源装置２５０は、光源ケース５０内に緑色光源装置３３０を有する。また、光源装置２５０は、導光路として、導光光学系３７０と光源側光学系３８０とを備える。なお、図３では、光源ケース５０の上ケースを省略している。
【００３１】
励起光照射装置３１０は、投影装置１００の筐体内において右側板１１９近傍に配置される。励起光照射装置３１０には、半導体発光素子である複数の青色レーザダイオード３１２が設けられる。また、各青色レーザダイオード３１２の光軸上には、青色レーザダイオード３１２からの出射光を、指向性を高めるように平行光に変換するコリメータレンズ３１３が配置されている。なお、本実施形態において、青色レーザダイオード３１２及びコリメータレンズ３１３は、それぞれ２行６列の合計１２個が配置される。
【００３２】
コリメータレンズ３１３の正面には、集光レンズ３１５が設けられる。集光レンズ３１５は、各コリメータレンズ３１３から出射された青色波長帯域光を集光し、拡散板３１７に導光する。拡散板３１７は、入射した青色波長帯域光を拡散透過し、緑色光源装置３３０へ導光する。
【００３３】
赤色光源装置３５０は、赤色光源３５２と、集光レンズ群３５３とを備える。赤色光源３５２は、赤色波長帯域の光を出射する半導体発光素子である赤色発光ダイオードである。赤色光源３５２、集光レンズ群３５３等の赤色光源装置３５０の構成部材は、保持部材６０によって保持される。保持部材６０は、取付部７０により光源ケース５０に対して固定される。赤色光源３５２は、青色レーザダイオード３１２の出射光と光軸が平行となるように配置される。集光レンズ群３５３は、赤色光源３５２から出射された赤色波長帯域光を集光する。
【００３４】
赤色光源装置３５０は、赤色光源３５２の前側板１１３側に、赤色光源３５２と熱伝達部３６１を介して接続されたヒートシンク３６５を備える。また、励起光照射装置３１０は、青色レーザダイオード３１２の前側板１１３側に、熱伝達部３２１を介して青色レーザダイオード３１２と接続されたヒートシンク３２５を備える。ヒートシンク３２５とヒートシンク３６５との間には冷却ファン３２７が配置されている。また、ヒートシンク３６５の左側板１１７側にも冷却ファン３６７が配置されている。冷却ファン３２７，３６７による冷却風は、励起光照射装置３１０のヒートシンク３２５や赤色光源装置３５０のヒートシンク３６５に送風される。よって、青色レーザダイオード３１２及び赤色光源３５２は、それぞれのヒートシンク３２５，３６５により冷却される。
【００３５】
緑色光源装置３３０を構成する蛍光板３３１は、投影装置１００の略中央に配置される。蛍光板３３１は、円板状に形成され、励起光照射装置３１０から出射された励起光の光路上に配置される。蛍光板３３１は、モータにより回転駆動される。
【００３６】
蛍光板３３１の励起光照射装置３１０側には、集光レンズ群３３２が配置され、その反対側である反射ミラー３７７側にも集光レンズ（不図示）が配置される。
【００３７】
集光レンズ群３３２は、励起光照射装置３１０から出射されて第一ダイクロイックミラー３７１を透過した励起光の光線束を、蛍光板３３１に集光させるとともに蛍光板３３１から励起光照射装置３１０方向に出射される蛍光光を集光する。
【００３８】
蛍光板３３１には、蛍光発光領域と透明領域とが周方向に連続して設けられている。蛍光発光領域は、励起光照射装置３１０から集光レンズ群３３２を介して集光された光を励起光として受けて、緑色波長帯域の蛍光光を出射する。透過領域は、励起光照射装置３１０から出射された励起光を透過又は拡散透過させる。
【００３９】
蛍光板３３１の基材には銅やアルミニウム等からなる金属基材を用いることができる。この基材の励起光照射装置３１０側の表面には、環状の溝が形成される。この溝の底部は、銀蒸着等によってミラー加工がされており、その底部には緑色蛍光体層が敷設されている。また、透過領域には基材の切抜き透光部に透光性を有する透明基材が嵌入される。なお、透過領域として、励起光を拡散透過する領域が配置される場合、切抜き透孔部には表面をサンドブラスト等で微細凹凸を形成した透明基材が嵌入される。
【００４０】
蛍光板３３１の緑色蛍光体層は、励起光照射装置３１０から出射された青色波長帯域光が照射されると、緑色蛍光体が励起され、全方位に緑色波長帯域光を出射する。蛍光発光された緑色波長帯域光は、右側板１１９側へ出射され、集光レンズ群３３２に入射する。一方、透明領域に入射した励起光照射装置３１０から出射された青色波長帯域光は、蛍光板３３１を透過又は拡散透過し、蛍光板３３１の背面側（換言すれば、左側板１１７側）に配置された図示しない集光レンズに入射する。
【００４１】
導光光学系３７０は、青色波長帯域光、赤色波長帯域光及び緑色波長帯域光の光線束を集光させる集光レンズや、各色波長帯域の光線束の光軸を変換して同一の光軸に導光する反射ミラーやダイクロイックミラー等を備える。具体的に、導光光学系３７０は、第一ダイクロイックミラー３７１、第二ダイクロイックミラー３７３、第三ダイクロイックミラー３７５、反射ミラー３７７、及び複数の集光レンズ３７９を備える。
【００４２】
第一ダイクロイックミラー３７１は、拡散板３１７と集光レンズ群３３２の間に配置される。また、第一ダイクロイックミラー３７１は、青色波長帯域光を透過し、緑色波長帯域光を反射する。蛍光板３３１から出射された緑色波長帯域光は、第一ダイクロイックミラー３７１により反射され、集光レンズ３７９を介して第二ダイクロイックミラー３７３に導光される。
【００４３】
第二ダイクロイックミラー３７３は、第一ダイクロイックミラー３７１から出射された緑色波長帯域光と、赤色光源装置３５０から出射された赤色波長帯域光とが、交差する位置に配置される。第二ダイクロイックミラー３７３は、緑色波長帯域光を反射し、赤色波長帯域光を透過する。第一ダイクロイックミラー３７１から出射された緑色波長帯域光は、第二ダイクロイックミラー３７３により反射され、左側板１１７側にある集光レンズ３７９を介して第三ダイクロイックミラー３７５に導光される。
【００４４】
また、赤色光源装置３５０から出射された赤色波長帯域光は、第二ダイクロイックミラー３７３を透過し、緑色波長帯域光と光軸が一致する。その後、赤色波長帯域光は、集光レンズ３７９を介して第三ダイクロイックミラー３７５に導光される。
【００４５】
一方、励起光照射装置３１０から出射されて拡散板３１７によって拡散された青色波長帯域光のうち、蛍光板３３１の透過領域に入射した青色波長帯域光は、反射ミラー３７７により反射し、集光レンズ３７９を介して第三ダイクロイックミラー３７５に導光される。
【００４６】
第三ダイクロイックミラー３７５は、緑色波長帯域光及び赤色波長帯域光を反射し、青色波長帯域光を透過する。よって、第二ダイクロイックミラー３７３で反射した緑色波長帯域光の光軸、及び第二ダイクロイックミラー３７３を透過した赤色波長帯域光の光軸は、第三ダイクロイックミラー３７５で反射し、光源側光学系３８０の集光レンズ３８１に入射する。一方、反射ミラー３７７で反射した青色波長帯域光は、第三ダイクロイックミラー３７５を透過し、光源側光学系３８０の集光レンズ３８１に導光される。
【００４７】
このように、青色波長帯域光、赤色波長帯域光及び緑色波長帯域光の各光軸は、第三ダイクロイックミラー３７５で透過又は反射することにより一致する。
【００４８】
光源側光学系３８０は、集光レンズ３８１、ライトトンネル３８３、集光レンズ３８５、照射ミラー３８７、ＴＩＲ（Ｔｏｔａｌ  Ｉｎｔｅｒｎａｌ  Ｒｅｆｌｅｃｔｉｏｎ）プリズム（全反射プリズム）３８９を備える。なお、ＴＩＲプリズム３８９は、後述の投影側光学系４１０の一部でもある。集光レンズ３８１は、第三ダイクロイックミラー３７５から出射された光を集光する。集光レンズ３８１により集光された青色波長帯域光、赤色波長帯域光及び緑色波長帯域光は、ライトトンネル３８３に入射する。ライトトンネル３８３に入射した光線束は、ライトトンネル３８３により均一な強度分布となる。
【００４９】
集光レンズ３８５は、ライトトンネル３８３の前側板１１３側の光軸上に配置される。ライトトンネル３８３から出射された光線束は、集光レンズ３８５で集光されて照射ミラー３８７に照射される。
【００５０】
投影側光学系４１０は、ＴＩＲプリズム３８９、表示素子４１１、レンズ鏡筒４１２、非球面ミラー４１７を有する。照射ミラー３８７で反射された光線束は、ＴＩＲプリズム３８９に入射し、前側板１１３側に配置された表示素子４１１の画像形成面に照射される。表示素子４１１により形成された画像光は、背面板１１５側に設けられたレンズ鏡筒４１２内の固定レンズ群や可動レンズ群４１６を介して、非球面ミラー４１７に照射される。
【００５１】
非球面ミラー４１７により反射された画像光は、カバーガラス４１９（図１も参照）を介して投影装置１００の外部に出射され、スクリーンに投影される。
【００５２】
このように投影装置１００を構成することで、蛍光板３３１を回転させるとともに励起光照射装置３１０及び赤色光源装置３５０から異なるタイミングで光を出射すると、青色波長帯域光、赤色波長帯域光及び緑色波長帯域光の各光は、導光光学系３７０を介して光源側光学系３８０の集光レンズ３８１、ライトトンネル３８３等に順次入射し、その後表示素子４１１に入射する。そのため、投影装置１００の表示素子４１１であるＤＭＤが表示させるデータに応じて各色の光を時分割反射することにより、スクリーンにカラー画像を投影することができる。
【００５３】
つぎに、本実施形態の赤色光源装置３５０を保持する保持部材６０及び取付部７０の構成について説明する。図４は、光源ケース５０を保持部材６０の取り付り面側から見た斜視図である。なお、本図は、図３に示した光源ケース５０を、Ｚ軸側から見た斜視図である。以下図４〜図７の説明において、Ｚ軸の正方向を上、Ｚ軸の負方向を下とする。また、本図では、光源ケース５０の内部や外部に配置される光学部品等の図示は省略している。
【００５４】
光源ケース５０には、二辺の側壁５１ａ，５１ｂにより角部５２が形成される。取付部７０は、この角部５２を含む一方の側壁５１ｂ面上に、下端から上端に亘り形成される。取付部７０は、側壁５１ｂの上方に開口したＵ字型の切欠部７１を有する。この切欠部７１の底部７１１は、Ｘ軸と平行な基準軸Ａ１を中心とした半円の凹湾曲状に形成される。基準軸Ａ１のＺ軸方向の上下高さは、光源ケース５０の内部において導光される光の光軸の高さと略同じである。また、切欠部７１の光源ケース５０内側には、集光レンズ群３５３を構成する集光レンズを固定するための溝枠部７１２が形成される。溝枠部７１２は、基準軸Ａ１を中心とする略円形の溝枠状に形成される。
【００５５】
また、取付部７０は、側壁５１ｂ側の外面に保持部材６０との被当接面７２を有する。被当接面７２は、切欠部７１の周囲において傾斜した平坦面として形成される。光源ケース５０は、破線で示す略板状の蓋部材５３により上方から封止される。蓋部材５３は、切欠部７１の内側幅方向に対し係合する固定板５３１を有する。固定板５３１は、切欠部７１の開口端の部分から、底部７１１に向かって屈曲するように形成される。固定板５３１の表面は、被当接面７２と略同一平面となるように形成される。また、固定板５３１の下端には、基準軸Ａ１を中心とした半円の凹湾曲状に切欠かれた切欠部５３１ａが形成される。この切欠部５３１ａと、底部７１１とにより、切欠部７１には基準軸Ａ１を中心とした略円形の孔部が形成される。
【００５６】
取付部７０は、被当接面７２の両側に第一フランジ部７４と、第二フランジ部７５とを有する。第一フランジ部７４及び第二フランジ部７５は、板状に形成される。第一フランジ部７４及び第二フランジ部７５は、各上面７４ａ，７５ａを含む平面上に基準軸Ａ１が含まれるように配置される。
【００５７】
第一フランジ部７４の上面７４ａには、基準軸Ａ１の軸方向であるＸ軸方向（第一方向）に垂直なＺ軸方向（第二方向）の上方に立設する円柱状の位置決突起７４１が形成される。また、第一フランジ部７４には、後述の保持部材６０を取付部７０に対して固定するための螺子孔７４２が形成される。螺子孔７４２は、第一フランジ部７４の基端側に配置される。第一フランジ部７４のＸ軸正方向側の側端には、Ｘ軸方向に段状にずれて位置する第一側端面７４３ａと、第二側端面７４３ｂとが形成される。
【００５８】
第二フランジ部７５の上面７５ａにも、Ｚ軸方向の上方に立設する円柱状の位置決突起７５１が形成される。また、第二フランジ部７５には、保持部材６０を取付部７０に対して固定するための螺子孔７５２が形成される。位置決突起７５１と螺子孔７５２は、Ｘ軸方向に沿って設けられる。位置決突起７５１は、螺子孔７５２よりも第二フランジ部７５の基端側に配置される。
【００５９】
取付部７０は、被当接面７２の下方（Ｚ軸方向の負方向側）において、Ｘ軸の正方向側から見て凹状の枠部７６（第二枠部）を有する。枠部７６は、被当接面７２の下端に形成される下板部７６１と、被当接面７２の第一フランジ部７４側の側端側に形成される側板部７６２と、被当接面７２の第二フランジ部７５側の側端に形成される側板部７６３とを有する。側板部７６２は、第一フランジ部７４と下板部７６１との間に設けられ、側板部７６３は、第二フランジ部７５と下板部７６１との間に設けられる。
【００６０】
図５は、保持部材６０を光源ケース５０の取り付け面側から見た斜視図である。保持部材６０は、中央に略円形の貫通孔６０１を有し、全体が略四角枠状に形成される。貫通孔６０１の内周壁には、Ｘ軸と平行な基準軸Ａ２を中心として、内径の異なる略円形の二つの溝枠部６１１，６１２が形成される。溝枠部６１１と溝枠部６１２は、Ｘ軸正方向に向かって縮径する傾斜部６１３を介し、配置される。溝枠部６１１，６１２には、図３に示した集光レンズ群３５３を構成する集光レンズが配置される。図５の手前側の溝枠部６１２は、Ｘ軸負方向に立設した円筒状のリブ部６１２ａの内周面に形成される。リブ部６１２ａの外周側には、螺子孔６１４ａを有した円柱状に立設するボス部６１４が二つ形成される。溝枠部６１２に配置される集光レンズは、図示しない板部材によりＸ軸負方向側から固定される。螺子孔６１４ａは、その板部材を固定するために用いられる。
【００６１】
また、保持部材６０は、図５の裏面側に、図３で示した発光素子である赤色光源３５２を固定するための固定部６１５を有する（図７も参照）。溝枠部６１１,６１２及び固定部６１５等により、各部品を保持する部品保持部６１が形成される。
【００６２】
保持部材６０の一端面側（図５の手前側）において、部品保持部６１の周囲には、当接面６２が形成される。当接面６２は、内周縁６２ａ及び外周縁６２ｂの形状が略矩形状であり、全体が矩形環状に形成される。当接面６２の内周縁６２ａの各内角部は円弧状に形成される。当接面６２の外周縁６２ｂの各角部には、合計四つのリブ部６２１ａ〜６２１ｄが立設している。上側の二つのリブ部６２１ａ，６２１ｂは、底部を略長方形とした四角柱状に形成される。下側の他のリブ部６２１ｃ，６２１ｄは、底部を二つの長方形を組合せて略Ｌ字形状とした、角柱状に形成される。各リブ部６２１ａ〜６２１ｄの頂面ａ１は、当接面６２と略平行に形成される。また、各頂面ａ１は、同一平面上となるように形成される。
【００６３】
当接面６２上には、封止部材６３が配置される。封止部材６３には、ウレタン、シリコン等の可撓性、伸縮性、難燃性等を有した材料を用いることができる。封止部材６３は、封止部材６３の内周縁６３ａ及び外周縁６３ｂの形状が略矩形状であり、全体が矩形環状に形成される。封止部材６３の内周縁６３ａの形状と、当接面６２の内周縁６２ａの形状とは略同形状である。また、封止部材６３は、内周縁６３ａが当接面６２の内周縁６２ａと略一致するように配置される。
【００６４】
封止部材６３の外周縁６３ｂの各角部６３ｃは、Ｃ面取り状に形成される。角部６３ｃを設けたことにより、封止部材６３は、リブ部６２１ａ〜６２１ｄと干渉することなく当接面６２上に配置される。また、封止部材６３の頂面ａ２は、当接面６２と略平行に形成される。
【００６５】
保持部材６０は、外側面の両側に第三フランジ部６４と、第四フランジ部６５とを有する。第三フランジ部６４及び第四フランジ部６５は、板状に形成される。第三フランジ部６４及び第四フランジ部６５は、各下面６４ｂ，６５ｂを含む平面上に基準軸Ａ２が含まれるように配置される。
【００６６】
第三フランジ部６４には、Ｚ軸方向に貫通する円形の孔部６４１及び孔部６４２が形成される。また、孔部６４２は、取付部７０に保持部材６０を固定するために用いられる。第三フランジ部６４は、平面視（図６（ａ）参照）略Ｌ字状に形成される。第三フランジ部６４は、Ｘ軸方向に段状にずれた端部から下方へ立設する平板部６４３ａ，６４３ｂを有する。
【００６７】
第四フランジ部６５には、Ｚ軸方向に貫通する長丸形状の長孔部６５１が形成される。長孔部６５１の長軸は、長孔部６５１の中心から第三フランジ部６４の孔部６４１の方向を向くように形成される（図６（ａ）も参照）。また、第四フランジ部６５には、取付部７０に保持部材６０固定するための円形状の孔部６５２が形成される。
【００６８】
保持部材６０は、当接面６２の上方（Ｚ軸方向の正方向側）において、Ｘ軸の負方向側から見て略Ｌ字状の枠部６６（第一枠部）を有する。枠部６６は、当接面６２の上端に形成される上板部６６１と、当接面６２の第三フランジ部６４側の側端に形成される側板部６６２とを有する。側板部６６２は、第三フランジ部６４と上板部６６１との間に設けられる。また、側板部６６２と第三フランジ部６４との間には、側板部６６２及び第三フランジ部６４と略垂直に接続される板状のリブ板部６６２ａが形成される。
【００６９】
当接面６２の第四フランジ部６５側の側端には、側板部６７が設けられる。側板部６７は、リブ部６２１ａ〜６２１ｄの立設高さより低い位置において、上板部６６１と第四フランジ部６５との間に設けられる。また、側板部６７は、板面がＸ軸方向を向くように配置される。
【００７０】
つぎに、保持部材６０を光源ケース５０に取り付けた状態について説明する。図６（ａ）は保持部材６０を光源ケース５０に取り付けた様子を示す平面図であり、図６（ｂ）はその側面図である。図７は、保持部材６０を光源ケース５０に取付けた様子を示す図３のＶＩＩ−ＶＩＩ断面図である。
【００７１】
保持部材６０は、取付部７０に対し上方から下方に向かって（Ｚ軸の正方向側から負方向側に向かって）固定される。係合部である第三フランジ部６４及び第四フランジ部６５と、被係合部である第一フランジ部７４及び第二フランジ部７５は、孔部６４１及び長孔部６５１と、各位置決突起７４１，７５１とによりＺ軸方向に係脱可能に形成される。保持部材６０を取付部７０に固定する場合、第三フランジ部６４の孔部６４１に第一フランジ部７４の位置決突起７４１が挿入され、第四フランジ部６５の長孔部６５１に第二フランジ部７５の位置決突起７５１が挿入される（図６（ａ）参照）。よって、保持部材６０は、Ｘ軸方向及びＹ軸方向において、取付部７０に対し位置ずれしないよう高精度で位置決めされる。
【００７２】
また、第三フランジ部６４の孔部６４２に挿通された螺子は第一フランジ部７４の螺子孔７４２に螺入され、第四フランジ部６５の孔部６５２に挿通された螺子は第二フランジ部７５の螺子孔７５２に螺入される。そして、第三フランジ部６４と第一フランジ部７４、及び第四フランジ部６５と第二フランジ部７５は、Ｚ軸方向に固定されることになるため、保持部材６０は、Ｚ軸方向において、取付部７０に対し位置ずれしないよう高精度で位置決めされる。
【００７３】
保持部材６０を取付部７０に対し固定すると、第一フランジ部７４と第三フランジ部６４とが当接する境界面、及び第二フランジ部７５と第四フランジ部６５とが当接する境界面は、基準軸Ａ１，Ａ２と略同じ高さに位置することになる。つまり、取付部７０の基準軸Ａ１と、保持部材６０の基準軸Ａ２とは略一致する。赤色光源３５２は、赤色光源３５２から出射される赤色波長帯域光の光軸が、貫通孔６０１の基準軸Ａ２と略一致するように、予め保持部材６０に保持されている。そのため、赤色光源３５２から出射された赤色波長帯域光は、基準軸Ａ２と略一致して、光源ケース５０の内部に入射することになる。
【００７４】
このように、保持部材６０は、取付部７０に対しＸ軸方向、Ｙ軸方向、Ｚ軸方向において高精度に位置決めされる。特に、本実施形態では、赤色波長帯域光の光軸と略一致する基準軸Ａ２は、第三フランジ部６４の下面６４ｂと第四フランジ部６５の下面６５ｂと略同一平面上となるように形成しており、さらに、光源ケース５０内の光路の光軸である基準軸Ａ１は、第一フランジ部７４の上面７４ａと第二フランジ部７５の上面７５ｂと略同一平面上となるように形成している。そのため、保持部材６０と取付部７０の固定は、Ｚ軸方向では、基準軸Ａ１及び基準軸Ａ２の位置を基準に行うこととなり、保持部材６０及び取付部７０のＺ軸方向における寸法ばらつきや組み付け誤差を有効に低減させることができる。
【００７５】
また、図７に示すように、当接面６２及び被当接面７２は、圧縮された封止部材６３を介して当接する。当接面６２及び被当接面７２は、互いに対向して、部品（赤色光源３５２，集光レンズ群３５３等の光学部品）を保持する保持面であるＺ軸方向（第二方向）に対して鋭角をなすように、例えば５°傾斜している。部品は、保持面に対して略垂直な第一方向に光軸方向を有する。当接面６２及び被当接面７２は、第三フランジ部６４及び第四フランジ部６５を、第一フランジ部７４及び第二フランジ部７５にＺ軸の正方向から係合させる際に、非圧縮時の封止部材６３の侵入側の下端部６３１（Ｚ軸負方向側の端部）が取付部７０の被当接面７２の被侵入側の上端部７２１，５３２（Ｚ軸正方向側の端部）に接触しない角度で傾斜している（図４及び図５も参照）。
【００７６】
なお、封止部材６３は、可撓性を有するため加減圧により伸縮可能である。封止部材６３の初期厚みである非圧縮時の厚み（図５の当接面６２から頂面ａ１までの高さ）は、図７に示す当接面６２と被当接面７２との距離よりも厚い。また、当接面６２と被当接面７２との距離は、リブ部６２１ａ〜６２１ｄの高さよりも長い。よって、保持部材６０が取付部７０に固定されると、封止部材６３の弾発力により、四角環状に形成される当接面６２と被当接面７２（固定板５３１含む）との隙間を確実に封止することができる。
【００７７】
また、図６（ａ）及び図６（ｂ）に示すように、保持部材６０が固定されると、枠部６６は、Ｚ軸の正方向側である一端側から取付部７０を覆うように当接する。枠部７６は、Ｚ軸の負方向側である他端側から保持部材６０を覆うように当接する。
【００７８】
以上、本実施形態の投影装置１００における保持部材６０及び光源ケース５０等の構成について説明したが、保持部材６０の取付方向は上述したＺ軸方向に限ることなく、保持部材６０と光源ケース５０の取付部７０が配置されるＸ軸方向に対して垂直な他の方向、例えばＹ軸方向とすることができる。この場合、取付部７０の被係合部はＹ軸方向に立設する位置決突起を有し、保持部材６０の係合部はその位置決突起が挿入されるＹ軸方向に貫通した孔部を設けることができる。よって、当接面及び被当接面は、保持部材６０が固定される方向であるＹ軸方向に対して傾斜するように構成することができる。
【００７９】
なお、保持部材６０の取付方向は、本実施形態で示したＸ軸に垂直なＺ軸方向やＹ軸方向でなくてもよく、Ｘ軸方向と異なる他の方向とすることができる。この場合も、取付部７０と保持部材６０は、取付方向に嵌脱可能な構成とし、その取付方向に対して傾斜した当接面及び被当接面を有する構成とすることができる。
【００８０】
また、被係合部とした第一フランジ部７４及び第二フランジ部７５には、それぞれ保持部材６０が取り付けられる方向（Ｚ軸方向）に立設する位置決突起７４１，７５１としたが、当接面６２及び被当接面７２が傾斜する方向から取付可能な構成であれば、他の構造としてもよい。
【００８１】
また、本実施形態では、集光レンズや赤色光源３５２を保持する保持部材６０を、光源ケース５０に固定させる構成について説明したが、ケースに開口部（本実施形態では、固定板５３１と底部７１１により形成される孔部）が設けられ、この開口部に対する防塵性を確保しつつ精度良く他のユニットを固定するような場合に適用することができる。
【００８２】
以上説明したように、本発明の実施形態の光源装置２５０及び投影装置１００は、封止部材６３が設けられた当接面６２と、係合部（第三フランジ部６４，第四フランジ部６５）とを有して、部品を保持する保持部材６０と、封止部材６３を介して当接面６２と当接する被当接面７２と、係合部と係合する被係合部（第一フランジ部７４，第二フランジ部７５）とを有して、保持部材６０を保持する光源ケース５０と、を備える。当接面６２及び被当接面７２は、互いに対向して傾斜する。よって、保持部材６０及び取付部７０が配置方向であるＸ軸方向と異なるＺ軸方向から固定した場合であっても、封止部材６３の剥がれ、ヨレ、位置ずれ等の不具合の発生を防ぐことができる。また、封止部材６３が当接面６２と被当接面７２の隙間を確実に封止することができる。よって、取り付け精度と封止構造の信頼性を高めることができる。
【００８３】
なお、上記実施形態において、封止部材６３は、保持部材６０の当接面６２に配置されているとしたが、この構成に限らない。封止部材６３は、光源ケース５０の被当接面７２に配置されていても良い。或いは、封止部材６３が、保持部材６０の当接面６２、且つ光源ケース５０の被当接面７２の双方に配置されていても良い。
【００８４】
なお、上記実施形態においては、被係合部（第一フランジ部７４，第二フランジ部７５）が柱状の位置決突起７４１，７５１を含み、係合部（第三フランジ部６４，第四フランジ部６５）が各位置決突起７４１，７５１が挿通される孔部６４１及び長孔部６５１を形成するとしたが、更に、光源ケース５０の下板部７６１の中央付近（切欠部７１の略中心に位置する基準軸Ａ１の下方）に位置決突起を設けても良い。この場合、保持部材６０の下面に長孔部を設ける。
【００８５】
これにより、封止部材６３が配置された保持部材６０を、光源ケース５０に固定する際、まず保持部材６０下面の長孔部に、光源ケース５０の下板部７６１の位置決突起が挿通される。その後、第三フランジ部６４の孔部６４１、及び第四フランジ部６５の長孔部６５１に、各位置決突起７４１，７５１が挿通される。よって、このような構成の方が尚一層、保持部材６０の取付部７０への取り付けを容易に行うことができ、保持部材６０を、Ｘ軸方向及びＹ軸方向において、取付部７０に対し位置ずれしないよう高精度で位置決めさせることができる。
【００８６】
また、係合部及び被係合部が保持部材とケースとが配置される第一方向と異なる第二方向に係脱可能に形成され、当接面６２及び被当接面７２が第二方向に対して傾斜している光源装置２５０は、光源ケース５０に対して複数のユニットを取り付ける場合であっても、取付部７０を設けることができ、多くの機能、構成を備えた光源装置２５０を容易に形成することができる。
【００８７】
また、係合部を被係合部に第二方向から係合させる際に、封止部材６３の侵入側の下端部６３１が光源ケース５０の被当接面７２の被侵入側の上端部７２１，５３２に接触しない角度で傾斜している光源装置２５０は、保持部材６０を光源ケース５０に固定させる過程で、封止部材６３に剥がれ、ヨレ、位置ずれ等の不具合の発生が発生することを防ぐことができる。
【００８８】
また、保持部材６０が、第一方向の一端側から光源ケース５０に当接する枠部６６を有し、光源ケース５０が、第一方向の他端側から保持部材６０に当接する枠部７６を有する、光源装置２５０は、その当接箇所が少なくとも封止されて、封止構造をより向上させることができる。
【００８９】
また、当接面６２、被当接面７２及び封止部材６３が、部品（赤色光源３５２，集光レンズ群３５３）を保持する部品保持部６１の周囲に、環状に形成される光源装置２５０は、環状に形成される当接面６２と被当接面７２との隙間を確実に封止することができる。
【００９０】
また、当接面６２に、リブ部６２１ａ〜６２１ｄを有する光源装置２５０は、封止部材６３の弾発力が部分的に弱くあるいは外部からの負荷等のために、図７のＹ軸を中心とした回動方向に付勢力が働いた場合であっても、リブ部６２１ａ〜６２１ｄの頂面ａ１が被当接面７２に当接することによって、過剰な傾きの発生を抑えることができる。また、この頂面ａ１は、被当接面７２と平行に形成されていれば、当接面６２と平行でなくても保持部材６０の回動を規制する機能を構成することができる。よって、封止構造を維持しつつ、保持部材６０の取り付け精度を維持することができる。
【００９１】
また、封止部材６３が可撓性を有し、封止部材６３の非圧縮時の厚みが当接面６２と被当接面７２との距離よりも厚く、当接面６２と被当接面７２との距離がリブ部６２１ａ〜６２１ｄの高さよりも長い光源装置２５０は、封止部材６３の弾発力により当接面６２と被当接面７２との隙間を確実に封止することができる。
【００９２】
また、被係合部が柱状の位置決突起７４１，７５１を含み、係合部が各位置決突起７４１，７５１が挿通される孔部６４１及び長孔部６５１である光源装置２５０は、保持部材６０を、Ｘ軸方向及びＹ軸方向において、取付部７０に対し位置ずれしないよう高精度で位置決めさせることができる。
【００９３】
また、保持部材６０が発光素子（赤色光源３５２）を保持する光源装置２５０は、本実施形態の構成を出射光の光軸のように正確な位置合わせが必要な保持部材６０に適用して画質の良い光源装置２５０を提供することができる。
【００９４】
また、被係合部が第一フランジ部７４及び第二フランジ部７５を含み、係合部が第一フランジ部７４と当接する第三フランジ部６４及び第二フランジ部７５と当接する第四フランジ部６５を含み、第一フランジ部７４と第三フランジ部６４との境界面、及び第二フランジ部７５と第四フランジ部６５との境界面が、発光素子が出射する光の光軸の高さ位置に配置される光源装置２５０は、保持部材６０を、Ｚ軸方向において、取付部７０に対し位置ずれしないよう高精度で位置決めさせることができる。
【００９５】
以上説明した実施形態は、例として提示したものであり、発明の範囲を限定することは意図していない。これら新規な実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【００９６】
以下に、本願出願の最初の特許請求の範囲に記載された発明を付記する。
［１］  封止部材と、
当接面が形成され、係合部を有し、部品を保持する保持部材と、
前記封止部材を介して前記当接面と当接する被当接面が形成され、前記係合部と係合する被係合部を有し、前記保持部材を保持するケースと、
を備え、
前記保持部材の前記当接面及び前記ケースの前記被当接面は、互いに対向し、前記部品を保持する保持面に対して傾斜しており、前記ケースの前記被当接面は、前記保持部材が挿入される側を向くように傾斜している、
ことを特徴とする光源装置。
［２］  前記封止部材は、前記当接面及び／又は前記被当接面に配置されており、
前記部品は、前記保持面に対して略垂直な第一方向に光軸方向を有する光学部品であり、
前記係合部及び前記被係合部は、前記保持部材が前記ケースの前記被当接面に向かって行く第二方向に係脱可能に形成され、
前記当接面及び前記被当接面は、前記第二方向に対して鋭角をなすように傾斜している、
ことを特徴とする請求項１に記載の光源装置。
［３］  前記当接面及び前記被当接面は、前記係合部を前記被係合部に前記第二方向から係合させる際に、前記封止部材の侵入側の端部が、前記ケースの前記被当接面の被侵入側の端部に接触しない角度で傾斜していることを特徴とする上記［２］に記載の光源装置。
［４］  前記保持部材は、前記第一方向の一端側から、前記ケースに当接する第一枠部を有し、
前記ケースは、前記第一方向の他端側から、前記保持部材に当接する第二枠部を有する、
ことを特徴とする上記［２］又は上記［３］に記載の光源装置。
［５］  前記当接面、前記被当接面及び前記封止部材は、前記部品を保持する部品保持部の周囲に、環状に形成されることを特徴とする請求項１乃至請求項４の何れかに記載の光源装置。
［６］  前記当接面に、前記被当接面と頂面が平行なリブ部を有することを特徴とする上記［１］乃至上記［５］の何れかに記載の光源装置。
［７］  前記封止部材は可撓性を有し、
前記封止部材の非圧縮時の厚みは、前記当接面と前記被当接面との距離よりも厚く、
前記当接面と前記被当接面との前記距離は、前記リブ部の高さよりも長い、
ことを特徴とする上記［６］に記載の光源装置。
［８］  前記被係合部は、柱状の位置決突起を含み、
前記係合部は、前記位置決突起が挿通される孔部である、
ことを特徴とする請求項１乃至請求項７の何れかに記載の光源装置。
［９］  前記保持部材は、発光素子を保持することを特徴とする上記［１］乃至上記［８］の何れかに記載の光源装置。
［１０］  前記被係合部は、第一フランジ部及び第二フランジ部を含み、
前記係合部は、前記第一フランジ部と当接する第三フランジ部及び前記第二フランジ部と当接する第四フランジ部を含み、
前記第一フランジ部と前記第三フランジ部との境界面、及び前記第二フランジ部と前記第四フランジ部との境界面は、前記発光素子が出射する光の光軸の高さ位置に配置されることを特徴とする上記［９］に記載の光源装置。
［１１］  上記［１］乃至上記［１０］の何れか記載の光源装置と、
前記光源装置からの光源光が照射され、画像光を形成する表示素子と、
前記表示素子から出射された前記画像光をスクリーンに投影する投影側光学系と、
前記表示素子と前記光源装置を制御する制御部と、
を有することを特徴とする投影装置。
【符号の説明】
【００９７】
５０    光源ケース                          ５１ａ  側壁
５１ｂ  側壁                                ５２    角部
５３    蓋部材                              ６０    保持部材
６１    部品保持部                          ６２    当接面
６２ａ  内周縁                              ６２ｂ  外周縁
６３    封止部材                            ６３ａ  内周縁
６３ｂ  外周縁                              ６３ｃ  角部
６４    第三フランジ部                      ６４ｂ  下面
６５    第四フランジ部                      ６５ｂ  下面
６６    枠部                                ６７    側板部
７０    取付部                              ７１    切欠部
７２    被当接面                            ７４    第一フランジ部
７４ａ  上面                                ７５    第二フランジ部
７５ａ  上面                                ７６    枠部
１００  投影装置                            １１０  上ケース
１１１  上面板                              １１３  前側板
１１５  背面板                              １１７  左側板
１１９  右側板                              １２１  切込み溝
１２５  投影口                              １４０  下ケース
１４１  底板                                １５０  コネクタカバー
１６１  正面吸気孔                          １８１  排気孔
２１１  入出力コネクタ部                    ２１２  入出力インターフェース
２１３  画像変換部                          ２１４  表示エンコーダ
２１５  ビデオＲＡＭ                        ２１６  表示駆動部
２２１  画像圧縮／伸長部                    ２２２  メモリカード
２２３  キー／インジケータ部                ２２５  Ｉｒ受信部
２２６  Ｉｒ処理部                          ２３１  制御部
２３２  光源制御回路                        ２３３  冷却ファン駆動制御回路
２３４  ホイール制御部                      ２３５  音声処理部
２３６  スピーカ                            ２３９  レンズモータ
２５０  光源装置                            ３１０  励起光照射装置
３１２  青色レーザダイオード                ３１３  コリメータレンズ
３１５  集光レンズ                          ３１７  拡散板
３２１  熱伝達部                            ３２５  ヒートシンク
３２７  冷却ファン                          ３３０  緑色光源装置
３３１  蛍光板                              ３３２  集光レンズ群
３５０  赤色光源装置                        ３５２  赤色光源
３５３  集光レンズ群                        ３６１  熱伝達部
３６５  ヒートシンク                        ３６７  冷却ファン
３７０  導光光学系                          ３７１  第一ダイクロイックミラー
３７３  第二ダイクロイックミラー            ３７５  第三ダイクロイックミラー
３７７  反射ミラー                          ３７９  集光レンズ
３８０  光源側光学系                        ３８１  集光レンズ
３８３  ライトトンネル                      ３８５  集光レンズ
３８７  照射ミラー                          ３８９  ＴＩＲプリズム
４１０  投影側光学系                        ４１１  表示素子
４１２  レンズ鏡筒                          ４１６  可動レンズ群
４１７  非球面ミラー                        ４１９  カバーガラス
４４１  主制御回路基板                      ４４３  電源制御回路基板
５３１  固定板                              ５３１ａ  切欠部
５３２  上端部                              ６０１  貫通孔
６１１  溝枠部                              ６１２  溝枠部
６１２ａ  リブ部                            ６１３  傾斜部
６１４  ボス部                              ６１４ａ  螺子孔
６１５  固定部                              ６２１ａ〜６２１ｄ  リブ部
６３１  下端部                              ６４１  孔部
６４２  孔部                                ６４３ａ  平板部
６４３ｂ  平板部                            ６５１  長孔部
６５２  孔部                                ６６１  上板部
６６２  側板部                              ６６２ａ  リブ板部
７１１  底部                                ７１２  溝枠部
７２１  上端部                              ７４１  位置決突起
７４２  螺子孔                              ７４３ａ  第一側端面
７４３ｂ  第二側端面                        ７５１  位置決突起
７５２  螺子孔                              ７６１  下板部
７６２  側板部                              ７６３  側板部
Ａ１    基準軸                              Ａ２    基準軸
ａ１    頂面                                ａ２    頂面
【図１】
2018105898.tif 000003
【図２】
2018105898.tif 000004
【図３】
2018105898.tif 000005
【図４】
2018105898.tif 000006
【図５】
2018105898.tif 000007
【図６】
2018105898.tif 000008
【図７】
2018105898.tif 000009